(57)【要約】【課題】補正データ容量が削減された表示装置の補正方法を提供する。【解決手段】輝度信号を補正するための第１補正データを予め取得する取得ステップと、第１補正データに対して、誤差拡散法を適用することで、第１補正データを第２補正データに変換する第１変換ステップと、第２補正データを構成する補正データ成分の一部を予め定められた間引き方法で間引くことで、第２補正データを第３補正データに変換する第２変換ステップと、第３補正データを構成する画素データ成分を用いて、予め定められた補間方法で補間することで、第３補正データを第４補正データに変換する第３変換ステップと、第４補正データを用いて、輝度信号を補正する補正ステップとを含み、第１変換ステップでは、予め定められた間引き方法と予め定められた補間方法とに基づいて、第２補正データと前記第４補正データとが一致するように変換を行う。【選択図】図１３
2018072572.tif 000002
【特許請求の範囲】
【請求項１】
輝度信号に応じて発光する発光素子を有する画素がマトリクス状に配置された表示装置の輝度ムラを補正する表示装置の補正方法であって、
前記画素に対応した複数の補正データ成分で構成され、前記輝度信号を補正するための第１補正データを予め取得する取得ステップと、
前記第１補正データの少なくとも一部の補正データ成分に対して、当該補正データ成分の誤差成分を、当該補正データ成分に対応する画素の周辺画素に対応する補正データ成分に拡散する誤差拡散法を適用することで、前記第１補正データを、前記画素に対応した複数の補正データ成分で構成される第２補正データに変換する第１変換ステップと、
前記第２補正データを構成する補正データ成分の一部を、予め定められた間引き方法で間引くことで、前記第２補正データを、前記第１補正データよりもデータ容量が小さい第３補正データに変換する第２変換ステップと、
前記第３補正データを構成する画素データ成分を用いて、予め定められた補間方法で補間することで、前記第３補正データを、前記画素に対応した複数の補正データ成分で構成される第４補正データに変換する第３変換ステップと、
前記第４補正データを用いて、前記輝度信号を補正する補正ステップとを含み、
前記第１変換ステップでは、前記予め定められた間引き方法と前記予め定められた補間方法とに基づいて、前記第２補正データと前記第４補正データとが一致するように、前記変換を行う
表示装置の補正方法。
【請求項２】
前記第１補正データの前記少なくとも一部の補正データ成分は、対応する第２補正データの補正データ成分が、前記第２変換ステップにおいて間引かれる対象となる補正データ成分であって、
前記誤差成分は、誤差拡散法を適用する対象となる第１補正データの補正データ成分の値と、当該補正データ成分に対応する前記第４補正データの補正データ成分の値との差分値である
請求項１に記載の表示装置の補正方法。
【請求項３】
前記予め定められた補間方法は、前記第２変換ステップにおいて間引きされた間引き補正データ成分それぞれについて、当該間引き補正データ成分に対応する対象画素の、前記画素が配置されるマトリックスにおける、同行左側に位置する画素のうち、最も近傍に位置する間引き対象とならなかった画素の補正データ成分と、同行右側に位置する画素のうち、最も近傍に位置する間引き対象にならなかった画素の補正データ成分とを用いて行う線形補間である
請求項１又は２に記載の表示装置の補正方法。
【請求項４】
前記予め定められた間引き方法は、前記マトリックスにおいて、予め定められた列に位置する画素に対応する補正データ成分を間引く間引きである
請求項１〜３のいずれか１項に記載の表示装置の補正方法。
【請求項５】
前記予め定められた列は、前記マトリックスにおける偶数列である
請求項４に記載の表示装置の補正方法。
【請求項６】
輝度信号に応じて発光する発光素子を有する画素がマトリクス状に配置された表示装置の製造方法であって、
前記画素に対応した複数の補正データ成分で構成され、前記輝度信号を補正するための第１補正データを予め取得する取得ステップと、
前記第１補正データの少なくとも一部の補正データ成分に対して、当該補正データ成分の誤差成分を、当該補正データ成分に対応する画素の周辺画素に対応する補正データ成分に拡散する誤差拡散法を適用することで、前記第１補正データを、前記画素に対応した複数の補正データ成分で構成される第２補正データに変換する第１変換ステップと、
前記第２補正データを構成する補正データ成分の一部を、予め定められた間引き方法で間引くことで、前記第２補正データを、前記第１補正データよりもデータ容量が小さい第３補正データに変換する第２変換ステップと、
前記第３補正データを、前記表示装置が有するメモリに保存する保存ステップとを含み、
前記第１変換ステップでは、前記第３補正データに対して、前記第３補正データを構成する画素データ成分を用いて、予め定められた補間方法で補間することで得られる第４補正データと、前記第２補正データとが一致するように、前記予め定められた間引き方法と前記予め定められた補間方法とに基づいて前記変換を行う
表示装置の製造方法。
【請求項７】
輝度信号に応じて発光する発光素子を有する画素がマトリクス状に配置された表示装置の表示方法であって、
前記画素に対応した複数の補正データ成分で構成され、前記輝度信号を補正するための第１補正データを予め取得する取得ステップ、前記第１補正データの少なくとも一部の補正データ成分に対して、当該補正データ成分の誤差成分を、当該補正データ成分に対応する画素の周辺画素に対応する補正データ成分に拡散する誤差拡散法を適用することで、前記第１補正データを、前記画素に対応した複数の補正データ成分で構成される第２補正データに変換する第１変換ステップ、および、前記第２補正データを構成する補正データ成分の一部を、予め定められた間引き方法で間引くことで、前記第２補正データを、前記第１補正データよりもデータ容量が小さい第３補正データに変換する第２変換ステップ、により取得された前記第３補正データを構成する画素データ成分を用いて、予め定められた補間方法で補間することで、前記第３補正データを、前記画素に対応した複数の補正データ成分で構成される第４補正データに変換する第３変換ステップと、
前記第４補正データを用いて、前記輝度信号を補正する補正ステップとを含み、
前記第１変換ステップでは、前記予め定められた間引き方法と前記予め定められた補間方法とに基づいて、前記第２補正データと前記第４補正データとが一致するように、前記変換を行う
表示装置の表示方法。
【請求項８】
輝度信号に応じて発光する発光素子を有する画素がマトリクス状に配置された表示装置であって、
前記画素に対応した複数の補正データ成分で構成され、前記輝度信号を補正するための第１補正データの少なくとも一部の補正データ成分に対して、当該補正データ成分の誤差成分を、当該補正データ成分に対応する画素の周辺画素に対応する補正データ成分に拡散する誤差拡散法を適用することで、前記第１補正データを、前記画素に対応した複数の補正データ成分で構成される第２補正データに変換する誤差拡散部と、
前記第２補正データを構成する補正データ成分の一部を、予め定められた間引き方法で間引くことで、前記第２補正データを、前記第１補正データよりもデータ容量が小さい第３補正データに変換する間引き部と、
前記第３補正データを構成する画素データ成分を用いて、予め定められた補間方法で補間することで、前記第３補正データを、前記画素に対応した複数の補正データ成分で構成される第４補正データに変換する補間部と、
前記第４補正データを用いて、前記輝度信号を補正する輝度信号補正部とを含み、
前記誤差拡散部は、前記予め定められた間引き方法と前記予め定められた補間方法とに基づいて、前記第２補正データと前記第４補正データとが一致するように、前記変換を行う
表示装置。
【請求項９】
輝度信号に応じて発光する発光素子を有する画素がマトリクス状に配置された表示装置であって、
前記画素に対応した複数の補正データ成分で構成され、前記輝度信号を補正するための第１補正データを予め取得する取得ステップ、前記第１補正データの少なくとも一部の補正データ成分に対して、当該補正データ成分の誤差成分を、当該補正データ成分に対応する画素の周辺画素に対応する補正データ成分に拡散する誤差拡散法を適用することで、前記第１補正データを、前記画素に対応した複数の補正データ成分で構成される第２補正データに変換する第１変換ステップ、および、前記第２補正データを構成する補正データ成分の一部を、予め定められた間引き方法で間引くことで、前記第２補正データを、前記第１補正データよりもデータ容量が小さい第３補正データに変換する第２変換ステップ、により取得された前記第３補正データを構成する画素データ成分を用いて、予め定められた補間方法で補間することで、前記第３補正データを、前記画素に対応した複数の補正データ成分で構成される第４補正データに変換する補間部と、
前記第４補正データを用いて、前記輝度信号を補正する輝度信号補正部とを含み、
前記第１変換ステップでは、前記予め定められた間引き方法と前記予め定められた補間方法とに基づいて、前記第２補正データと前記第４補正データとが一致するように、前記変換を行う
表示装置。
【発明の詳細な説明】
【技術分野】
【０００１】
本開示は、表示装置、表示装置の補正方法、表示装置の製造方法、および表示装置の表示方法に関する。
【背景技術】
【０００２】
電流駆動型の発光素子を用いた表示装置として、有機ＥＬディスプレイが知られている。この有機ＥＬディスプレイは、視野角特性が良好で、消費電力が少ないという利点を有するため、注目されている。
【０００３】
有機ＥＬディスプレイでは、通常、画素を構成する有機ＥＬ素子がマトリクス状に配置される。特に、アクティブマトリクス型の有機ＥＬディスプレイでは、次の走査（選択）まで有機ＥＬ素子を発光させることが可能であるため、デューティ比が上がってもディスプレイの輝度減少を招くようなことはない。従って、低電圧で駆動できるので、低消費電力化が可能となる。しかしながら、アクティブマトリクス型の有機ＥＬディスプレイでは、駆動トランジスタや有機ＥＬ素子の特性のばらつきに起因して、同じ輝度信号を与えても、各画素において有機ＥＬ素子の輝度が異なり、いわゆる輝度ムラが発生するという欠点がある。
【０００４】
従来の有機ＥＬディスプレイにおける輝度ムラの補正方法としては、予めメモリに格納された補正データを用いて輝度信号を補正することで画素ごとの特性の不均一を補償する方法が提案されている。
【０００５】
例えば、特許文献１には、有機ＥＬ素子と駆動トランジスタとを含む複数の画素を有する表示パネルにおいて、代表電流−電圧特性、各分割領域の輝度−電流特性、および各画素の輝度−電圧特性を求め、これらより求められた各画素の電流−電圧特性が代表電流−電圧特性となるような補正データを各画素について求める有機ＥＬ表示装置の製造方法が開示されている。これによれば、高精度な補正データが取得されるので、寿命による輝度劣化のばらつきを抑制できる。
【先行技術文献】
【特許文献】
【０００６】
【特許文献１】国際公開第２０１１／１１８１２４号
【発明の概要】
【発明が解決しようとする課題】
【０００７】
しかしながら、特許文献１に開示された有機ＥＬ表示装置では、予め算出された画素ごとの補正データ（ゲインおよびオフセット）は、制御回路のメモリに格納される。このため、高精度な補正データを確保しつつ表示パネルの解像度を上げていくと、補正データ量が膨大化するという課題が発生する。特に、小型高精細化が要求されるタブレット端末などでは、上記課題が深刻となる。
【０００８】
本発明は、上記の課題に鑑みてなされたものであり、補正データ容量が低減された表示装置、表示装置の補正方法、表示装置の製造方法、および表示装置の表示方法を提供することを目的とする。
【課題を解決するための手段】
【０００９】
上記の課題を解決するために、本発明の一態様に係る表示装置の補正方法は、輝度信号に応じて発光する発光素子を有する画素がマトリクス状に配置された表示装置の輝度ムラを補正する表示装置の補正方法であって、前記画素に対応した複数の補正データ成分で構成され、前記輝度信号を補正するための第１補正データを予め取得する取得ステップと、前記第１補正データの少なくとも一部の補正データ成分に対して、当該補正データ成分の誤差成分を、当該補正データ成分に対応する画素の周辺画素に対応する補正データ成分に拡散する誤差拡散法を適用することで、前記第１補正データを、前記画素に対応した複数の補正データ成分で構成される第２補正データに変換する第１変換ステップと、前記第２補正データを構成する補正データ成分の一部を、予め定められた間引き方法で間引くことで、前記第２補正データを、前記第１補正データよりもデータ容量が小さい第３補正データに変換する第２変換ステップと、前記第３補正データを構成する画素データ成分を用いて、予め定められた補間方法で補間することで、前記第３補正データを、前記画素に対応した複数の補正データ成分で構成される第４補正データに変換する第３変換ステップと、前記第４補正データを用いて、前記輝度信号を補正する補正ステップとを含み、前記第１変換ステップでは、前記予め定められた間引き方法と前記予め定められた補間方法とに基づいて、前記第２補正データと前記第４補正データとが一致するように、前記変換を行うことを特徴とする。
【００１０】
また、本発明の一態様に係る表示装置の製造方法は、輝度信号に応じて発光する発光素子を有する画素がマトリクス状に配置された表示装置の製造方法であって、前記画素に対応した複数の補正データ成分で構成され、前記輝度信号を補正するための第１補正データを予め取得する取得ステップと、前記第１補正データの少なくとも一部の補正データ成分に対して、当該補正データ成分の誤差成分を、当該補正データ成分に対応する画素の周辺画素に対応する補正データ成分に拡散する誤差拡散法を適用することで、前記第１補正データを、前記画素に対応した複数の補正データ成分で構成される第２補正データに変換する第１変換ステップと、前記第２補正データを構成する補正データ成分の一部を、予め定められた間引き方法で間引くことで、前記第２補正データを、前記第１補正データよりもデータ容量が小さい第３補正データに変換する第２変換ステップと、前記第３補正データを、前記表示装置が有するメモリに保存する保存ステップとを含み、前記第１変換ステップでは、前記第３補正データに対して、前記第３補正データを構成する画素データ成分を用いて、予め定められた補間方法で補間することで得られる第４補正データと、前記第２補正データとが一致するように、前記予め定められた間引き方法と前記予め定められた補間方法とに基づいて前記変換を行うことを特徴とする。
【００１１】
また、本発明の一態様に係る表示装置の表示方法は、輝度信号に応じて発光する発光素子を有する画素がマトリクス状に配置された表示装置の表示方法であって、前記画素に対応した複数の補正データ成分で構成され、前記輝度信号を補正するための第１補正データを予め取得する取得ステップ、前記第１補正データの少なくとも一部の補正データ成分に対して、当該補正データ成分の誤差成分を、当該補正データ成分に対応する画素の周辺画素に対応する補正データ成分に拡散する誤差拡散法を適用することで、前記第１補正データを、前記画素に対応した複数の補正データ成分で構成される第２補正データに変換する第１変換ステップ、および、前記第２補正データを構成する補正データ成分の一部を、予め定められた間引き方法で間引くことで、前記第２補正データを、前記第１補正データよりもデータ容量が小さい第３補正データに変換する第２変換ステップ、により取得された前記第３補正データを構成する画素データ成分を用いて、予め定められた補間方法で補間することで、前記第３補正データを、前記画素に対応した複数の補正データ成分で構成される第４補正データに変換する第３変換ステップと、前記第４補正データを用いて、前記輝度信号を補正する補正ステップとを含み、前記第１変換ステップでは、前記予め定められた間引き方法と前記予め定められた補間方法とに基づいて、前記第２補正データと前記第４補正データとが一致するように、前記変換を行うことを特徴とする。
【００１２】
また、本発明の一態様に係る表示装置は、輝度信号に応じて発光する発光素子を有する画素がマトリクス状に配置された表示装置であって、前記画素に対応した複数の補正データ成分で構成され、前記輝度信号を補正するための第１補正データの少なくとも一部の補正データ成分に対して、当該補正データ成分の誤差成分を、当該補正データ成分に対応する画素の周辺画素に対応する補正データ成分に拡散する誤差拡散法を適用することで、前記第１補正データを、前記画素に対応した複数の補正データ成分で構成される第２補正データに変換する誤差拡散部と、前記第２補正データを構成する補正データ成分の一部を、予め定められた間引き方法で間引くことで、前記第２補正データを、前記第１補正データよりもデータ容量が小さい第３補正データに変換する間引き部と、前記第３補正データを構成する画素データ成分を用いて、予め定められた補間方法で補間することで、前記第３補正データを、前記画素に対応した複数の補正データ成分で構成される第４補正データに変換する補間部と、前記第４補正データを用いて、前記輝度信号を補正する輝度信号補正部とを含み、前記誤差拡散部は、前記予め定められた間引き方法と前記予め定められた補間方法とに基づいて、前記第２補正データと前記第４補正データとが一致するように、前記変換を行うことを特徴とする。
【００１３】
また、本発明の一態様に係る表示装置は、輝度信号に応じて発光する発光素子を有する画素がマトリクス状に配置された表示装置であって、前記画素に対応した複数の補正データ成分で構成され、前記輝度信号を補正するための第１補正データを予め取得する取得ステップ、前記第１補正データの少なくとも一部の補正データ成分に対して、当該補正データ成分の誤差成分を、当該補正データ成分に対応する画素の周辺画素に対応する補正データ成分に拡散する誤差拡散法を適用することで、前記第１補正データを、前記画素に対応した複数の補正データ成分で構成される第２補正データに変換する第１変換ステップ、および、前記第２補正データを構成する補正データ成分の一部を、予め定められた間引き方法で間引くことで、前記第２補正データを、前記第１補正データよりもデータ容量が小さい第３補正データに変換する第２変換ステップ、により取得された前記第３補正データを構成する画素データ成分を用いて、予め定められた補間方法で補間することで、前記第３補正データを、前記画素に対応した複数の補正データ成分で構成される第４補正データに変換する補間部と、前記第４補正データを用いて、前記輝度信号を補正する輝度信号補正部とを含み、前記第１変換ステップでは、前記予め定められた間引き方法と前記予め定められた補間方法とに基づいて、前記第２補正データと前記第４補正データとが一致するように、前記変換を行うことを特徴とする。
【発明の効果】
【００１４】
本発明に係る表示装置、表示装置の補正方法、表示装置の製造方法、または表示装置の表示方法によれば、第１補正データよりもデータ量が削減された第３補正データを用いて輝度信号が補正されるので、補正データ容量を低減することが可能となる。
【図面の簡単な説明】
【００１５】
【図１】実施の形態１に係る表示装置の構成を示すブロック図である。
【図２】実施の形態１に係る画素の回路構成の一例および周辺回路との接続を示す図である。
【図３】実施の形態１に係る表示装置が備える制御部の構成を示すブロック図である。
【図４】従来の表示装置が備える制御部の構成を示すブロック図である。
【図５Ａ】第１補正データを示すデータ構成図である。
【図５Ｂ】間引き後補正データを示すデータ構成図である。
【図５Ｃ】補間後補正データを示すデータ構成図である。
【図６】実施の形態１に係る表示装置の補正方法を説明する動作フローチャートである。
【図７】第１補正データを取得するための測定システムのブロック図である。
【図８】実施の形態２に係る表示装置の構成を示すブロック図である。
【図９】実施の形態２に係る表示装置が備える制御部の構成を示すブロック図である。
【図１０】誤差拡散部が行う誤差拡散変換を説明するための模式図である。
【図１１Ａ】第１補正データを示すデータ構成図である。
【図１１Ｂ】上の行から伝搬してくる誤差値を示すデータ構成図である。
【図１１Ｃ】第２補正データを示すデータ構成図である。
【図１１Ｄ】第３補正データを示すデータ構成図である。
【図１１Ｅ】第４補正データを示すデータ構成図である。
【図１２】実施の形態１に係る表示装置と、実施の形態２に係る表示装置との補正処理およびその結果を比較する図である。
【図１３】実施の形態２に係る表示装置の補正方法を説明する動作フローチャートである。
【図１４】製造工程において第２補正データを取得する情報処理装置の構成を示すブロック図である。
【図１５】実施の形態３に係る表示装置の製造方法を説明する動作フローチャートである。
【図１６】実施の形態４に係る、第３補正データを用いて輝度信号を補正して表示する制御装置における制御部の構成を示すブロック図である。
【図１７】実施の形態４に係る表示装置の表示方法を説明する動作フローチャートである。
【図１８】実施の形態１〜４のいずれかに係る表示装置を内蔵したタブレット端末の外観図である。
【発明を実施するための形態】
【００１６】
以下、表示装置およびその補正方法の実施の形態について、図面を用いて説明する。なお、以下に説明する実施の形態は、いずれも本開示における好ましい一具体例を示すものである。したがって、以下の実施の形態で示される、数値、形状、材料、構成要素、構成要素の配置位置および接続形態、工程、並びに、工程の順序などは、一例であって本発明を限定する主旨ではない。よって、以下の実施の形態における構成要素のうち、本発明における最上位概念を示す独立請求項に記載されていない構成要素については、任意の構成要素として説明される。
【００１７】
なお、各図は、模式図であり、必ずしも厳密に図示されたものではない。また、各図において、実質的に同一の構成に対しては同一の符号を付しており、重複する説明は省略又は簡略化する。
【００１８】
（実施の形態１）
［１．１  表示装置の構成］
図１は、実施の形態１に係る表示装置１の構成を示すブロック図である。同図における表示装置１は、制御部１０と、データ線駆動回路２０と、走査線駆動回路３０と、表示部４０とを備える。制御部１０はメモリ１１を有する。なお、メモリ１１は、表示装置１内であって制御部１０の外部に配置されていてもよい。
【００１９】
制御部１０は、メモリ１１、データ線駆動回路２０および走査線駆動回路３０の制御を行う。メモリ１１には、例えば、表示装置１の製造工程の完了時において、処理後の補正データ（後述する間引き後補正データ）が保存される。
【００２０】
制御部１０は、表示動作時には、メモリ１１に書き込まれた間引き後補正データを読み出し、外部から入力された映像信号（輝度信号）を、間引き後補正データに基づいて補正して、データ線駆動回路２０へと出力する。
【００２１】
また、制御部１０は、例えば、製造工程において処理前の補正データ（後述する第１補正データ）を生成する場合には、例えば、外部の情報処理装置と通信することにより、当該情報処理装置の指示に従ってデータ線駆動回路２０および走査線駆動回路３０を駆動する。
【００２２】
また、制御部１０は、例えば、製造工程において処理前の補正データ（第１補正データ）を変換処理し、処理後の補正データ（間引き後補正データ）を生成し、当該処理後の補正データをメモリ１１に格納する。
【００２３】
表示部４０は、マトリクス状に配置された複数の画素を備え、外部から表示装置１へ入力された映像信号（輝度信号）に基づいて画像を表示する。
【００２４】
図２は、実施の形態１に係る画素４００の回路構成の一例および周辺回路との接続を示す図である。同図における画素４００は、走査線４１２と、データ線４１１と、電源線４２１と、選択トランジスタ４０３と、駆動トランジスタ４０２と、有機ＥＬ素子４０１と、保持容量素子４０４と、共通電極４２２とを備える。また、周辺回路は、データ線駆動回路２０と、走査線駆動回路３０とを備える。
【００２５】
走査線駆動回路３０は、走査線４１２に接続されており、画素４００の選択トランジスタ４０３の導通および非導通を制御する。
【００２６】
データ線駆動回路２０は、データ線４１１に接続されており、間引き後補正データを用いて補正された輝度信号であるデータ電圧を出力して、駆動トランジスタ４０２に流れる信号電流を決定する機能を有する。
【００２７】
選択トランジスタ４０３は、ゲート端子が走査線４１２に接続されており、データ線４１１のデータ電圧を駆動トランジスタ４０２のゲート端子に供給するタイミングを制御する。
【００２８】
駆動トランジスタ４０２は、ゲート端子が選択トランジスタ４０３を介してデータ線４１１に接続され、ソース端子が有機ＥＬ素子４０１のアノード端子に接続され、ドレイン端子が電源線４２１に接続されている。これにより、駆動トランジスタ４０２は、ゲート端子に供給されたデータ電圧を、当該データ電圧に対応した信号電流に変換し、変換された信号電流を有機ＥＬ素子４０１に供給する。
【００２９】
有機ＥＬ素子４０１は、発光素子として機能し、有機ＥＬ素子４０１のカソード端子は、共通電極４２２に接続されている。
【００３０】
保持容量素子４０４は、電源線４２１と駆動トランジスタ４０２のゲート端子との間に接続されている。保持容量素子４０４は、例えば、選択トランジスタ４０３がオフ状態となった後も、直前のゲート電圧を維持し、継続して駆動トランジスタ４０２から有機ＥＬ素子４０１へ駆動電流を供給させることが可能である。
【００３１】
なお、図１および図２には記載されていないが、電源線４２１は電源に接続されている。また、共通電極４２２も電源に接続されている。
【００３２】
データ線駆動回路２０から供給されたデータ電圧は、選択トランジスタ４０３を介して駆動トランジスタ４０２のゲート端子へと印加される。駆動トランジスタ４０２は、そのデータ電圧に応じた電流を、ソース−ドレイン端子間に流す。この電流が、有機ＥＬ素子４０１へと流れることにより、その電流に応じた発光輝度で、有機ＥＬ素子４０１が発光する。
【００３３】
なお、図２に示された画素４００の回路構成において、各回路素子を接続する経路の間に別の回路素子および配線などが挿入されていてもよい。
【００３４】
［１．２  制御部の構成］
図３は、実施の形態１に係る表示装置１が備える制御部１０の構成を示すブロック図である。同図に示された制御部１０は、メモリ１１と、変換部１２と、補正部１３とを備える。
【００３５】
変換部１２は、処理前の補正データ（第１補正データ）を、その第１補正データよりもデータ量が削除された処理後の補正データ（間引き後補正データ）へと変換する。
【００３６】
補正部１３は、上記間引き後補正データを用いて、輝度信号を補正する。輝度信号とは、画素の有する発光素子を発光させるために、当該画素に印加される電気信号である。より具体的には、本実施の形態では、輝度信号とは、画素４００が有する有機ＥＬ素子４０１を発光させるために、データ線駆動回路２０から駆動トランジスタ４０２のゲートに印加されるデータ電圧のことである。
【００３７】
ここで、処理前の補正データ（第１補正データ）について説明する。第１補正データとは、例えば、外部から表示装置１に送信される映像信号に基づいて表示部４０の各画素４００が発光する際の輝度ムラを低減させるためのデータである。より具体的には、補正データは、例えば、画素４００に対応させてゲイン補正値およびオフセット補正値という２つの補正パラメータで構成されている。なお、上記補正データは、画素４００に対応していなくてもよく、複数の隣接画素の集合体である画素グループごとに対応していてもよい。
【００３８】
図４は、従来の表示装置が備える制御部５００の構成を示すブロック図である。同図に示された従来の制御部５００は、メモリ５１２と、輝度信号補正部５３１とを備える。従来の表示装置では、制御部５００は、第１補正データを予めメモリ５１２に保存する。また、制御部５００は、映像信号を変換して画素ごとの輝度信号（補正前輝度信号）を生成する。輝度信号補正部５３１は、メモリ５１２から第１補正データを読み出し、上記補正前輝度信号に対して、第１補正データのゲイン補正値を乗算（または除算）し、第１補正データのオフセット補正値を加算（または減算）することで、補正前輝度信号を補正する。制御部５００は、このようにして得られた補正後の輝度信号を、所定のタイミングでデータ線駆動回路へと出力する。これにより、表示部における輝度ムラが低減される。
【００３９】
上記従来の表示装置では、表示部の解像度を上げていくにつれ、メモリ５１２に格納すべき補正データ量は膨大化し、また、輝度信号などのデータ転送レートは上昇して圧迫化されるという課題が発生する。特に、小型高精細化が要求されるタブレット端末では、大容量のメモリを確保することが困難であり、コストアップにも繋がる。
【００４０】
これに対して、本実施の形態に係る表示装置１では、上述した第１補正データ（処理前の補正データ）により輝度信号が補正されるのではなく、処理前の補正データ（第１補正データ）を軽量処理することで取得された処理後の補正データ（間引き補正データ）により輝度信号が補正される。以下、本実施の形態に係る表示装置１において、第１補正データから間引き後補正データを生成するための構成について説明する。
【００４１】
図３において、変換部１２は、間引き部１２１を備える。
【００４２】
間引き部１２１は、第１補正データを構成する補正データ成分の一部を、予め定められた間引き方法で間引くことで、第１補正データを、第１補正データよりもデータ容量が小さい間引き後補正データに変換する。
【００４３】
ここでは、予め定められた間引き方法が、画素４００が配置されるマトリックスにおいて、偶数列に位置する画素に対応する補正データ成分を間引く方法であるとする。
【００４４】
なお、予め定められた間引き方法は、必ずしも、上記間引き方法に限定される必要はない。一例として、画素４００が配置されるマトリックスにおいて、３で割り切れない列に位置する画素に対応する補正データ成分を間引く例も考えられる。
【００４５】
図５Ａは、第１補正データの一例を示すデータ構成図である。そして、図５Ｂは、図５Ａに示される第１補正データを対象として、間引き部１２１によって間引かれた、間引き後補正データを示すデータ構成図である。
【００４６】
図５Ａ、図５Ｂに示されるように、間引き後補正データに含まれる補正データ成分の数は、第１補正データに含まれる補正データ成分の数の１／２となっている。
【００４７】
メモリ１１は、変換部１２により第１補正データが変換されて生成された間引き後補正データを保存する。間引き後補正データは、第１補正データに比べて容量が小さい。表示部４０の解像度が上がるにつれ、変換部１２により軽量化された間引き後補正データを格納するメモリ１１の容量低減化の効果が顕著となる。記録媒体として過度な大容量および長寿命を必要としないという観点から、メモリ１１としては、例えば、フラッシュメモリなどの不揮発性メモリを適用することが可能である。
【００４８】
再び図３に戻って、制御部１０の説明を続ける。
【００４９】
補正部１３は、補間部１３２と、輝度信号補正部１３１とを備える。
【００５０】
補間部１３２は、例えば、ＤＲＡＭなどの揮発性の第１メモリと演算回路とで構成される。補間部１３２は、メモリ１１から間引き後補正データを読み出して第１メモリに一時保存する。そして、演算回路は、間引き後補正データを構成する画素データ成分を用いて、予め定められた補間方法で補間することで、間引き後補正データを、表示部４０の各画素４００のそれぞれに対応した複数の補正データ成分で構成される補間後補正データに変換する。
【００５１】
ここでは、予め定められた補間方法が、間引き部１２１によって間引きされた間引き後補正データの補正データ成分のそれぞれについて、当該補正データ成分に対応する対象画素の、画素４００が配置されるマトリックスにおける同行左横に位置する画素に対応する補正データ成分と、同行右横に位置する画素に対応する補正データ成分とを用いて行う線形補間であるとする。
【００５２】
なお、予め定められた補間方法は、必ずしも、上記補間方法に限定される必要はない。一例として、例えば、予め定められた間引き方法が、画素４００が配置されるマトリックスにおいて、３で割り切れない列に位置する画素に対応する補正データ成分を間引く方法である場合には、次のようになる。すなわち、間引き部１２１によって間引きされた間引き補正データの補正データ成分それぞれについて、当該補正データ成分に対応する対象画素の、画素４００が配置されるマトリックスにおける、同行左側に位置する画素のうち、最も近傍に位置する間引き対象とならなかった画素の画素データ成分と、同行右側に位置する画素のうち、最も近傍に位置する間引き対象にならなかった画素の画素データ成分とを用いて行う線形補間となる。
【００５３】
図５Ｃは、図５Ｂによって示される間引き後補正データを対象として、補間部１３２によって補間された、補間後補正データを示すデータ構成図である。
【００５４】
図５Ａ、図５Ｃに示されるように、補間後補正データに含まれる補正データ成分の数は、第１補正データに含まれる補正データ成分の数と同じとなっている。
【００５５】
再び図３に戻って、制御部１０の説明を続ける。
【００５６】
輝度信号補正部１３１は、補間部１３２により補間された補間後補正データを用いて、画素４００に対応した輝度信号を補正する。以下、輝度信号補正部１３１における輝度信号の補正処理の一例を示す。
【００５７】
輝度信号補正部１３１は、補正前輝度信号に対して、補間後補正データのゲイン補正値を乗算（または除算）し、補正後補正データのオフセット補正値を加算（または減算）することで、補正前輝度信号を補正する。
【００５８】
上記構成の表示装置１によると、メモリ１１に記憶される間引き後補正データのデータ量を、第１補正データがそのまま記憶される場合に比べて、およそ１／２に削減することができる。
【００５９】
このように、実施の形態１に係る表示装置１によれば、表示部の画素数が増加しても、補正データ容量および転送レートを低減することが可能となる。
【００６０】
なお、本実施の形態１に係る表示装置１において、変換部１２および補正部１３は、集積回路であるＩＣ、ＬＳＩ（Ｌａｒｇｅ  Ｓｃａｌｅ  Ｉｎｔｅｇｒａｔｉｏｎ）として実現されてもよい。また、集積回路化の手法は、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。さらには、半導体技術の進歩または派生する別技術によりＬＳＩに置き換わる集積回路化の技術が登場すれば、当然、その技術を用いて機能ブロックの集積化を行ってもよい。また、変換部１２および補正部１３は、上記エンコード処理およびデコード処理を実行させるプログラムとして実現したり、当該プログラムが記録されたコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリとして実現したりすることもできる。そして、そのようなプログラムは、ＣＤ−ＲＯＭ等の記録媒体およびインターネット等の伝送媒体を介して流通させることができるのは言うまでもない。
【００６１】
［１．３  表示装置の補正方法］
次に、本実施の形態に係る表示装置１の補正方法について説明する。
【００６２】
図６は、実施の形態１に係る表示装置１の補正方法を説明する動作フローチャートである。図６には、表示装置１の有する制御部１０が、第２補正データにより輝度信号を補正するまでの工程が示されている。以下、図６に従って、補正工程を説明していく。
【００６３】
まず、制御部１０は、有機ＥＬ素子４０１を所定の輝度で発光させるための輝度信号を補正するための第１補正データ（処理前の補正データ）を予め取得する（Ｓ１０：取得ステップ）。第１補正データ（処理前の補正データ）は、既に説明したように、例えば、画素４００に対応したゲイン補正値およびオフセット補正値という２つの補正パラメータで構成されている。
【００６４】
ここで、第１補正パラメータの取得方法について、例示する。
【００６５】
図７は、第１補正データを取得するための測定システムのブロック図である。同図に示された測定システムは、情報処理装置２と、撮像装置３と、表示部４０と、制御部１０とを備える。
【００６６】
情報処理装置２は、演算部２０１と、記憶部２０２と、通信部２０３とを備え、第１補正パラメータを生成するまでの工程を制御する機能を有する。情報処理装置２としては、例えば、パーソナルコンピュータが適用される。
【００６７】
撮像装置３は、通信部２０３からの制御信号により、表示部４０を撮像し、撮像された画像データを通信部２０３へ出力する。撮像装置３としては、例えば、ＣＣＤカメラや輝度計が適用される。
【００６８】
情報処理装置２は、表示装置１の制御部１０および撮像装置３へ通信部２０３を介して制御信号を出力し、制御部１０および撮像装置３から測定データを取得して当該測定データを記憶部２０２に格納し、格納された測定データをもとに演算部２０１で演算して各種特性値やパラメータを算出する。なお、制御部１０は、表示装置１に内蔵されない制御回路を使用してもよい。
【００６９】
具体的には、情報処理装置２は、測定画素へ与える電圧値の制御を行う。制御部１０は、上記電圧値を測定画素に印加し、当該測定画素を発光させる。撮像装置３は、発光した測定画素の輝度値を測定する。情報処理装置２は、電圧値と測定輝度値とを受信する。情報処理装置２は、測定画素へ与える電圧値を変化させて、同様の制御を行い、異なる電圧値と当該電圧値に対する測定輝度値とを受信する。情報処理装置２がこれを繰り返すことにより、演算部２０１は、測定画素ごとの電圧−輝度特性を算出し、当該電圧−輝度特性と基準となる電圧−輝度特性とを比較して、測定画素ごとの補正パラメータ（ゲイン補正値およびオフセット補正値）を算出する。
【００７０】
制御部１０は、演算部２０１で算出された上記補正パラメータを第１補正データとして、通信部２０３を介して受信する。
【００７１】
以上の工程により、制御部１０は、輝度信号を補正するための第１補正データを予め取得する。
【００７２】
再び図６に戻って、実施の形態１に係る表示装置１の補正方法の説明を続ける。
【００７３】
次に、制御部１０は、第１補正データを構成する補正データ成分の一部を、予め定められた間引き方法で間引くことで、第１補正データを、第１補正データよりもデータ容量が小さい間引き後補正データに変換する（Ｓ２０）。
【００７４】
ステップＳ２０は、制御部１０の間引き部１２１が行う変換ステップである。
【００７５】
次に、制御部１０は、間引き後補正データを、表示装置１が有するメモリ１１に予め保存する（Ｓ４０：保存ステップ）。
【００７６】
次に、制御部１０は、メモリ１１から間引き後補正データを読み出し、間引き後補正データを構成する画素データ成分を用いて、予め定められた補間方法で補間することで、間引き後補正データを、表示部４０の各画素４００のそれぞれに対応した複数の補正データ成分で構成される補間後補正データに変換する（Ｓ５０）。
【００７７】
次に、制御部１０は、補間後補正データを用いて、輝度信号を補正する（Ｓ６０：補正ステップ）。
【００７８】
（実施の形態２）
実施の形態１では、（１）第１補正データに対して、その一部の補正データ成分を間引くことで間引き後補正データを生成してメモリ１１に保存し、（２）保存した間引き後補正データを補間して補間後補正データを生成し、生成した補間後補正データを用いて、輝度信号を補正する構成の表示装置１について説明した。これに対して実施の形態２では、（１）第１補正データに対して、少なくとも一部の画素の補正成分の誤差成分を、当該画素の周辺画素へ拡散させて第２補正データを生成し、生成した第２補正データに対して、その一部の補正データ成分を間引くことで第３補正データを生成してメモリ１１に保存し、（２）保存した第３補正データを補間して第４補正データを生成し、生成した第４補正データを用いて、輝度信号を補正する構成の表示装置について説明する。この表示装置は、後述するように、間引き前の第２補正データと、補間後の第４補正データとが一致するように、誤差拡散と間引きと補間とを行う。
【００７９】
この表示装置は、実施の形態１における表示装置１から、その機能の一部が変更されて構成される。従って、ここでは、その変更点を中心に説明する。
【００８０】
［２．１  表示装置の構成］
図８は、実施の形態２に係る表示装置５の構成を示すブロック図である。
【００８１】
同図に示されるように、表示装置５は、実施の形態１における表示装置１から、制御部１０が制御部１０Ｂとなるように変更されている。
【００８２】
制御部１０Ｂは、メモリ１１、データ線駆動回路２０および走査線駆動回路３０の制御を行う。メモリ１１には、例えば、表示装置５の製造工程の完了時において、処理後の補正データ（後述する第３補正データ）が保存される。
【００８３】
また、制御部１０Ｂは、表示動作時には、メモリ１１に書き込まれた第３補正データを読み出し、第３補正データに基づいて第４補正データを生成する。そして、外部から入力された映像信号（輝度信号）を、第４補正データに基づいて補正して、データ線駆動回路２０へと出力する。
【００８４】
また、制御部１０Ｂは、例えば、製造工程において処理前の補正データ（第１補正データ）を生成する場合には、例えば、外部の情報処理装置と通信することにより、当該情報処理装置の指示に従ってデータ線駆動回路２０および走査線駆動回路３０を駆動する。
【００８５】
また、制御部１０Ｂは、例えば、製造工程において処理前の補正データ（第１補正データ）を変換処理し、処理後の補正データ（第３補正データ）を生成し、当該処理後の補正データをメモリ１１に格納する。
【００８６】
［２．２  制御部の構成］
図９は、実施の形態２に係る表示装置５が備える制御部１０Ｂの構成を示すブロック図である。
【００８７】
同図に示されるように、制御部１０Ｂは、実施の形態１における制御部１０から、変換部１２が変換部１２Ｂとなり、補正部１３が補正部１３Ｂとなるように変更されている。
【００８８】
変換部１２Ｂは、誤差拡散部１１２１と、間引き部１１２２とを備える。
【００８９】
誤差拡散部１１２１は、第１補正データの少なくとも一部の補正データ成分に対して、その補正データ成分の誤差成分を、その補正データ成分に対応する画素の周辺画素に対応する補正データ成分に拡散する誤差拡散法を適用することで、第１補正データを第２補正データに変換（以下、この変換のことを「誤差拡散変換」と呼ぶこともある。）する。
【００９０】
ここでは、この誤差成分を、誤差拡散法を適用する対象となる第１補正データの補正データ成分の値と、その補正データ成分に対応する第４補正データ（後述）の補正データ成分の値との差分値であるとする。
【００９１】
また、ここでは、上記第１補正データの少なくとも一部の補正データ成分、すなわち、誤差拡散法の適用対象となる補正データ成分が、画素４００が配置されるマトリックスにおいて、偶数列に位置する画素に対応する補正データ成分であるとする。
【００９２】
なお、誤差拡散法の適用対象となる補正データ成分は、必ずしも、上記補正データ成分に限定される必要はない。一例として、画素４００が配置されるマトリックスにおいて、３で割り切れない列に位置する画素に対応する補正データ成分を、誤差拡散法の適用対象となる補正データ成分とする例も考えらえる。
【００９３】
間引き部１１２２は、第２補正データを構成する補正データ成分の一部を、予め定められた間引き方法で間引くことで、第２補正データを、第１補正データよりもデータ容量が小さい第３補正データに変換（以下、この変換のことを「間引き変換」と呼ぶこともある。）する。
【００９４】
ここでは、予め定められた間引き方法が、誤差拡散法の対象となる補正データ成分を間引く間引き方法であるとする。
【００９５】
なお、予め定められた間引き方法は、必ずしも、上記間引き方法に限定される必要はない。一例として、誤差拡散の対象とならない補正データ成分を間引く例も考えられる。
【００９６】
補正部１３Ｂは、補間部１１３２と輝度信号補正部１１３１とを備える。
【００９７】
補間部１１３２は、第３補正データを構成する画素データ成分を用いて、予め定められた補間方法で補間することで、前記第３補正データを、前記画素に対応した複数の補正データ成分で構成される第４補正データに変換（以下、この変換のことを「補間変換」と呼ぶこともある。）する。
【００９８】
ここでは、予め定められた補間方法が、間引き部１１２２によって間引きされた第３補正データの補正データ成分のそれぞれについて、当該補正データ成分に対応する対象画素の、画素４００が配置されるマトリックスにおける同行左横に位置する画素に対応する補正データ成分と、同行右横に位置する画素に対応する補正データ成分とを用いて行う線形補間であるとする。
【００９９】
なお、予め定められた補間方法は、必ずしも、上記補間方法に限定される必要はない。一例として、例えば、予め定められた間引き方法が、画素４００が配置されるマトリックスにおいて、３で割り切れない列に位置する画素に対応する補正データ成分を間引く方法である場合には、次のようにしてもよい。すなわち、間引き部１１２２によって間引きされた第３補正データの補正データ成分それぞれについて、当該補正データ成分に対応する対象画素の、画素４００が配置されるマトリックスにおける、同行左側に位置する画素のうち、最も近傍に位置する間引き対象とならなかった画素の画素データ成分と、同行右側に位置する画素のうち、最も近傍に位置する間引き対象にならなかった画素の画素データ成分とを用いて行う線形補間としてもよい。
【０１００】
ここで、誤差拡散部１１２１は、第４補正データが、第２補正データと一致するように、上記誤差拡散変換を行う。
【０１０１】
誤差拡散部１１２１が、このように、第４補正データと第２補正データとが一致するように誤差拡散変換を行うことができるのは、間引き部１１２２が行う間引き変換の間引き方法が予め定められており、補間部１１３２が行う補間変換の補間方法が予め定められているからである。
【０１０２】
以下、間引き部１１２２が行う間引き変換の間引き方法が予め定められており、補間部１１３２が行う補間変換の補間方法が予め定められている場合において、誤差拡散部１１２１が、第４補正データと第２補正データとが一致するように誤差拡散変換を行う一具体例について説明する。
【０１０３】
ここでは、誤差拡散部１１２１が用いる誤差拡散法が、上述したように、画素４００が配置されるマトリックスにおける偶数列に位置する画素を誤差拡散の対象となる画素とするものであって、対象となる画素の補正データ成分の値の７／１６を、対象となる画素の右横の画素の補正データ成分に加算し、対象となる画素の補正データ成分の値の３／１６を、対象となる画素の左斜め下の画素の補正データ成分に加算し、対象となる画素の補正データ成分の値の５／１６を、対象となる画素の下の画素の補正データ成分に加算し、対象となる画素の補正データ成分の値の１／１６を、対象となる画素の右斜め下の画素の補正データ成分に加算する誤差拡散法（以下、この誤差拡散法のことを、「所定誤差拡散法」と呼ぶこともある。）であるとする。
【０１０４】
誤差拡散部１１２１は、この所定誤差拡散法を、誤差拡散との対象となる画素に対して、画素４００が配置されるマトリックスにおいて、各行においては、左端画素側から右端画素側へと順に実行し、各列においては、上端列側から下端列側へと順に実行する。
【０１０５】
そして、間引き部１１２２が用いる予め定められた間引き方法が、上述したように、誤差拡散部１１２１における誤差拡散法の対象となる補正データ成分を間引く間引き方法（以下、この間引き方法のことを、「所定間引き方法」と呼ぶこともある。）であるとする。
【０１０６】
さらに、補間部１１３２が用いる予め定められた補間方法が、上述したように、間引き部１１２２によって間引きされた第３補正データの補正データ成分のそれぞれについて、当該補正データ成分に対応する対象画素の、画素４００が配置されるマトリックスにおける同行左横に位置する画素に対応する補正データ成分と、同行右横に位置する画素に対応する補正データ成分とを用いて行う線形補間（以下この補間方法のことを、「所定補間方法」と呼ぶこともある。）であるとする。
【０１０７】
図１０は、誤差拡散部１１２１が行う誤差拡散変換を説明するための模式図である。
【０１０８】
同図において、ｉ１、ｉ２、ｉ３は、それぞれ、画素４００が配置されるマトリックスの任意の行における、３つの連続する横並び画素のそれぞれに対応する、第１補正データの補正データ成分の値である。
【０１０９】
ｅ１、ｅ２、ｅ３は、それぞれ、ｉ１、ｉ２、ｉ３のそれぞれについて、それらの上の行に対して誤差拡散法適用した場合において、上の行から伝搬してくる誤差値である。
【０１１０】
Ｅ１、Ｅ２、Ｅ３は、それぞれ、ｉ１、ｉ２、ｉ３のそれぞれに対して、上の行から伝搬してくる誤差値（すなわち、ｅ１、ｅ２、ｅ３）を足した値である。
【０１１１】
ｄ１、ｄ２、ｄ３は、それぞれ、ｉ１、ｉ２、ｉ３のそれぞれに対応する、誤差拡散後の値である。すなわち、ｄ１、ｄ２、ｄ３は、それぞれ、ｉ１、ｉ２、ｉ３のそれぞれに対応する第２補正データである。
【０１１２】
誤差拡散部１１２１は、第２補正データと第４補正データとが一致するように、誤差拡散変換を行う。このため、ｄ１、ｄ２、ｄ３は、それぞれ、ｉ１、ｉ２、ｉ３のそれぞれに対応する第４補正データとなる。
【０１１３】
同図において、ｉ１、ｉ２、ｉ３、ｅ１、ｅ２、ｅ３、ｄ１は、ｄ２、ｄ３を算出する時点において既知の値である。また、Ｅ１、Ｅ２、Ｅ３は、それぞれ、Ｅ１＝ｉ１＋ｅ１、Ｅ２＝ｉ２＋ｅ２、Ｅ３＝ｉ３＋ｅ３となることから、Ｅ１、Ｅ２、Ｅ３も既知の値となる。ｄ２、ｄ３を算出する時点において、ｄ１が既知の値となるのは、誤差拡散変換が、画素４００が配置されるマトリックスの各行において、左端画素側から右端画素側へと順に実行されるからである。
【０１１４】
また、誤差拡散部１１２１が用いる誤差拡散法から、ｄ３は、
ｄ３＝（Ｅ２−ｄ２）×７／１６＋Ｅ３        …（式１）
と表される。
【０１１５】
そして、間引き部１１２２が用いる予め定められた間引き方法と、補間部１１３２が用いる予め定められた補間方法とから、ｄ２は、
ｄ２＝（ｄ１＋ｄ３）／２                    …（式２）
と表される。
【０１１６】
（式１）と（式２）とを、ｄ２、ｄ３を変数とする連立方程式として、ｄ２、ｄ３の解を求めると、
ｄ３＝（−７／３２×ｄ１＋７／１６×Ｅ２＋Ｅ３）／（１＋７／３２）
…（式３）
ｄ２＝ｄ１／２＋（−７／３２×ｄ１＋７／１６×Ｅ２＋Ｅ３）／（２＋７／１６）
…（式４）
となる。
【０１１７】
（式３）と（式４）とから、ｄ２とｄ３とが、それぞれ、既知の値によって一意に定まることがわかる。
【０１１８】
このため、誤差拡散部１１２１の行う誤差拡散方法が上記所定誤差拡散方法であり、間引き部１１２２が行う間引き方法が上記所定間引き方法であり、補間部１１３２が行う補間方法が上記所定補間方法である場合には、誤差拡散部１１２１は、ｄ２が（式４）で表される値となり、ｄ３が（式３）で表される値となるように、ｉ２についての誤差値をｄ２−ｉ２とする誤差拡散変換を行うことで、第４補正データと第２補正データとが一致するように誤差拡散変換を行うことができる。
【０１１９】
図１１Ａは、第１補正データの一例を示すデータ構成図である。図１１Ｂは、図１１Ａで示される第１補正データに対して誤差拡散部１１２１が上記誤差拡散変換を行う場合において、上の行から伝搬してくる誤差値を示すデータ構成図である。図１１Ｃは、図１１Ａで示される第１補正データに対して誤差拡散部１１２１が上記誤差拡散変換を行った結果生成される第２補正データを示すデータ構成図である。図１１Ｄは、図１１Ｃで示される第２補正データに対して間引き部１１２２が上記間引き変換を行った結果生成される第３補正データを示すデータ構成図である。図１１Ｅは、図１１Ｄで示される第３補正データに対して補間部１１３２が上記補間変換を行った結果生成される第４補正データを示すデータ構成図である。
【０１２０】
図１１Ｃ、図１１Ｄに示されるように、第２補正データと第４補正データとは一致する。
【０１２１】
なお、ここでは、誤差拡散および間引きの対象となる画素が、画素４００が配置されるマトリックスにおける行方向に連続していない場合の例を例示して説明したが、誤差拡散および間引きの対象となる画素が、画素４００が配置されるマトリックスにおける行方向に連続していても構わない。
【０１２２】
差拡散および間引きの対象となる画素が、画素４００が配置されるマトリックスにおける行方向に連続している場合も、行方向に連続していない場合と同様に計算できる。
【０１２３】
再び図９に戻って、制御部１０Ｂの説明を続ける。
【０１２４】
輝度信号補正部１１３１は、補正前輝度信号に対して、第４補正データのゲイン補正値を乗算（または除算）し、第４補正データのオフセット補正値を加算（または減算）することで、補正前輝度信号を補正する。
【０１２５】
メモリ１１は、変換部１２Ｂにより第１補正データが変換されて生成された第３補正データを保存する。第３補正データは、第１補正データに比べて容量が小さい。
【０１２６】
上記構成の表示装置５によると、メモリ１１に記憶される第３補正データのデータ量を、第１補正データがそのまま記憶される場合に比べて、およそ１／２に削減することができる。表示部４０の解像度が上がるにつれ、変換部１２Ｂにより軽量化された第３補正データを格納するメモリ１１の容量低減化の効果が顕著となる。記録媒体として過度な大容量および長寿命を必要としないという観点から、メモリ１１としては、例えば、フラッシュメモリなどの不揮発性メモリを適用することが可能である。
【０１２７】
図１２は、実施の形態１に係る表示装置１と、実施の形態２に係る表示装置５とが、それぞれ補正処理を行う場合における、その補正処理およびその結果を比較する図である。
【０１２８】
同図に示されるように、実施の形態１に係る表示装置１によって補正処理された結果表示される画像よりも、実施の形態２に係る表示装置５によって補正処理された結果表示される画像の方が、より輝度ムラが低減されていることがわかる。これは、実施の形態１に係る表示装置１では、補間部１３２によって補間される補間後補正データが、間引き部１２１によって間引かれた間引き後補正データを正確に再現したものにならないのに対して、実施の形態２に係る表示装置５では、補間部１１３２によって補間変換される第４補正データが、誤差拡散部１１２１によって第１補正データに対して誤差拡散変換がなされた第２補正データを正確に再現したものになっているからである。
【０１２９】
このように、実施の形態２に係る表示装置５によれば、表示部の画素数が増加しても、輝度補正の精度を確保しつつ補正データ容量および転送レートを低減することが可能となる。
【０１３０】
なお、本実施の形態２に係る表示装置５において、変換部１２Ｂおよび補正部１３Ｂは、集積回路であるＩＣ、ＬＳＩ（Ｌａｒｇｅ  Ｓｃａｌｅ  Ｉｎｔｅｇｒａｔｉｏｎ）として実現されてもよい。また、集積回路化の手法は、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。さらには、半導体技術の進歩または派生する別技術によりＬＳＩに置き換わる集積回路化の技術が登場すれば、当然、その技術を用いて機能ブロックの集積化を行ってもよい。また、変換部１２Ｂおよび補正部１３Ｂは、上記エンコード処理およびデコード処理を実行させるプログラムとして実現したり、当該プログラムが記録されたコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリとして実現したりすることもできる。そして、そのようなプログラムは、ＣＤ−ＲＯＭ等の記録媒体およびインターネット等の伝送媒体を介して流通させることができるのは言うまでもない。
【０１３１】
［２．３  表示装置の補正方法］
次に、本実施の形態に係る表示装置５の補正方法について説明する。
【０１３２】
図１３は、実施の形態２に係る表示装置５の補正方法を説明する動作フローチャートである。
【０１３３】
以下、図１３に従って、補正工程を説明していく。
【０１３４】
同図に示されるように、表示装置５の補正方法は、実施の形態１における表示装置１の補正方法（図６参照）から、ステップＳ１０の処理がステップＳ１０Ｂの処理となり、ステップＳ２０の処理がステップＳ２０Ｂの処理となり、ステップＳ３０Ｂの処理が追加され、ステップＳ４０の処理がステップＳ４０Ｂの処理となり、ステップＳ５０の処理がステップＳ５０Ｂの処理となり、ステップＳ６０の処理がステップＳ６０Ｂの処理となるように変更されている。
【０１３５】
ここで、ステップＳ１０Ｂの処理は、実施の形態１におけるステップＳ１０の処理から、表示装置１を表示装置５に読み替え、制御部１０を制御部１０Ｂに読み替えた場合の処理と同様の処理となっている。従って、ここでは、ステップＳ２０Ｂの処理とステップＳ３０Ｂの処理とステップＳ４０Ｂの処理とステップＳ５０Ｂの処理とステップＳ６０Ｂの処理とを中心に説明する。
【０１３６】
ステップＳ１０Ｂの処理が終了すると、制御部１０Ｂは、第１補正データの少なくとも一部の補正データ成分に対して、その補正データ成分の誤差成分を、その補正データ成分に対応する画素の周辺画素に対応する補正データ成分に拡散する誤差拡散法を適用することで、第１補正データを第２補正データに変換する（Ｓ２０Ｂ）。ステップＳ２０Ｂは、誤差拡散部１１２１が行う第１変換ステップである。ここで、第１変換ステップでは、予め定められた間引き方法と予め定められた補間方法とに基づいて、第２補正データと第４補正データとが一致するように、上記変換を行う。
【０１３７】
次に、制御部１０Ｂは、第２補正データを構成する補正データ成分の一部を、予め定められた間引き方法で間引くことで、第２補正データを、第１補正データよりもデータ容量が小さい第３補正データに変換する（Ｓ３０Ｂ）。ステップＳ３０Ｂは、間引き部１１２２が行う第２変換ステップである。
【０１３８】
次に、制御部１０Ｂは、第３補正データを、表示装置５が有するメモリ１１に予め保存する（Ｓ４０Ｂ：保存ステップ）。
【０１３９】
次に、制御部１０Ｂは、メモリ１１から第２補正データを読み出し、第３補正データを構成する画素データ成分を用いて、予め定められた補間方法で補間することで、前記第３補正データを、前記画素に対応した複数の補正データ成分で構成される第４補正データに変換する（Ｓ５０Ｂ）。ステップＳ５０Ｂは、補間部１１３２が行う第３変換ステップである。
【０１４０】
次に、制御部１０Ｂは、上記第４補正データを用いて、輝度信号を補正する（Ｓ６０Ｂ：補正ステップ）。
【０１４１】
（実施の形態３）
実施の形態２では、第１補正データを取得し、当該第１補正データから、第２補正データ、第３補正データ、第４補正データを生成し、当該第４補正データで輝度信号を補正するまでの表示装置５の補正方法について説明した。これに対して、本実施の形態では、上記第１補正データから、第２補正データ、第３補正データを生成し、当該第３補正データを表示装置５のメモリ１１に格納するまでの表示装置５の製造方法について説明する。つまり、本実施の形態に係る表示装置５の製造方法は、実施の形態２に係る表示装置５の補正方法が、輝度信号を第４補正データで補正するまでの工程を含むのに対して、第３補正データをメモリ１１に格納するまでの工程を含む点が異なる。以下、実施の形態２に係る表示装置５およびその補正方法と同じ構成については説明を省略し、異なる点を中心に説明をする。
【０１４２】
［３．１  製造工程における情報処理装置の構成］
図１４は、製造工程において第２補正データを取得する情報処理装置２Ｃの構成を示すブロック図である。同図に示された情報処理装置２Ｃは、表示装置５の製造工程において使用されるものであり、変換部１２Ｃを備える。
【０１４３】
変換部１２Ｃは、誤差拡散部１１２１Ｃと、間引き部１１２２Ｃとを備える。
【０１４４】
誤差拡散部１１２１Ｃは、実施の形態２における誤差拡散部１１２１と同様の機能を有する。すなわち、第１補正データを第２補正データに変換する。
【０１４５】
間引き部１１２２Ｃは、実施の形態２における間引き部１１２２と同様の機能を有する。すなわち、第２補正データを第３補正データに変換する。
【０１４６】
なお、第１補正データは、実施の形態１の図７に示された情報処理装置２により取得されてもよい。このとき、実施の形態１に係る情報処理装置２と、本実施の形態に係る情報処理装置２Ｃとが、同じ装置であって双方の機能を兼ね備えていてもよい。つまり、本実施の形態に係る情報処理装置２Ｃは、変換部１２Ｃのほか、演算部２０１と、記憶部２０２と、通信部２０３とを備えていてもよい。また、第１補正データは、予め情報処理装置２Ｃに与えられていてもよい。
【０１４７】
［３．２  表示装置の製造方法］
図１５は、実施の形態３に係る表示装置５の製造方法を説明する動作フローチャートである。図１５には、表示装置５の有する表示パネルを形成する工程から、第３補正データをメモリに格納する工程までが示されている。以下、図１５に従って、製造工程を説明していく。
【０１４８】
まず、表示装置５を構成する表示パネルを形成する（Ｓ１００：表示パネル形成ステップ）。以下、表示パネルの形成工程を例示する。例えば、ＴＦＴなどの回路素子を含む基板上に、絶縁性の有機材料からなる平坦化膜を形成し、その後、当該平坦化膜上に陽極を形成する。次に、陽極上に、例えば、正孔注入層を形成する。次に、正孔注入層の上に、発光層を形成する。次に、発光層の上に、電子注入層を形成する。続いて、電子注入層が形成された基板上に、陰極を形成する。これらの工程により、発光素子としての機能をもつ有機ＥＬ素子が形成される。さらに、陰極の上に、薄膜封止層を形成する。次に、薄膜封止層の表面に、封止用樹脂層を塗布する。その後、塗布された封止用樹脂層上に、カラーフィルタを形成する。次に、カラーフィルタの上に、接着層および透明基板を配置する。なお、薄膜封止層、封止用樹脂層、接着層および透明基板は、保護層に相当する。最後に、透明基板を上面側から下方に加圧しつつ熱またはエネルギー線を付加して封止用樹脂層を硬化し、透明基板、接着層およびカラーフィルタと薄膜封止層とを接着する。上記形成工程により、表示パネルが形成される。
【０１４９】
次に、情報処理装置２Ｃは、有機ＥＬ素子４０１を所定の輝度で発光させるための輝度信号を補正するための第１補正データ（処理前の補正データ）を予め取得する（Ｓ１１０：取得ステップ）。第１補正データ（処理前の補正データ）は、既に説明したように、例えば、画素４００に対応したゲイン補正値およびオフセット補正値という２つの補正パラメータで構成されている。第１補正パラメータの取得方法については、実施の形態１の図７で説明した情報処理装置２により取得されてもよいし、また、例えば、同一バッチで製造された表示パネルの第１補正パラメータを流用してもよい。
【０１５０】
次に、情報処理装置２Ｃは、第１補正データの少なくとも一部の補正データ成分に対して、その補正データ成分の誤差成分を、その補正データ成分に対応する画素の周辺画素に対応する補正データ成分に拡散する誤差拡散法を適用することで、第１補正データを第２補正データに変換する（Ｓ１２０）。
【０１５１】
次に、情報処理装置２Ｃは、第２補正データを構成する補正データ成分の一部を、予め定められた間引き方法で間引くことで、第２補正データを、第１補正データよりもデータ容量が小さい第３補正データに変換する（Ｓ１３０）。
【０１５２】
次に、情報処理装置２Ｃは、第３補正データを、表示装置５が有するメモリ１１に保存する（Ｓ１４０：保存ステップ）。
【０１５３】
以上の本実施の形態に係る表示装置５の製造方法によれば、メモリ１１に記憶される第３補正データのデータ量を、第１補正データがそのまま記憶される場合に比べて、およそ１／２に削減することができる。表示部４０の解像度が上がるにつれ、変換部１２Ｃにより軽量化された第３補正データを格納するメモリ１１の容量低減化の効果が顕著となる。
【０１５４】
なお、情報処理装置２Ｃは、表示装置５を構成する制御部１０Ｂが内蔵していてもよく、製造工程において、制御部１０Ｂが第２補正データを取得しメモリ１１に格納してもよい。
【０１５５】
（実施の形態４）
実施の形態２では、第１補正データを取得し、当該第１補正データから、第２補正データ、第３補正データ、第４補正データを生成し、当該第４補正データで輝度信号を補正するまでの表示装置５の補正方法について説明した。これに対して、本実施の形態では、上記第３補正データを読み出し、当該第３補正データにより輝度信号を補正し、当該補正された輝度信号により画素表示させるまでの表示装置５の表示方法について説明する。つまり、本実施の形態に係る表示装置５の表示方法は、実施の形態３に係る表示装置５の製造方法が、第２補正データをメモリ１１に格納するまでの工程を含むのに対して、格納された第３補正データを読み出す工程から画素表示する工程までを含む点が異なる。以下、実施の形態２に係る表示装置５およびその補正方法と同じ構成については説明を省略し、異なる点を中心に説明をする。
【０１５６】
［４．１  制御部の構成］
図１６は、第３補正データを用いて輝度信号を補正して表示する表示装置５における制御部１０Ｂの構成を示すブロック図である。同図に示された制御部１０Ｂは、メモリ１１と、補正部１３Ｂとを備える。
【０１５７】
これら、制御部１０Ｂ、メモリ１１、補正部１３Ｂについては、実施の形態１、実施の形態２において既に説明済みである。このため、ここでは、これらの説明を省略する。
【０１５８】
［４．２  表示装置の表示方法］
図１７は、実施の形態４に係る表示装置５の表示方法を説明する動作フローチャートである。図１７には、表示装置５の有する制御部１０Ｂが、第３補正データを読み出す工程から輝度信号を補正して画素表示する工程までが示されている。以下、図１７に従って、補正工程を説明していく。
【０１５９】
まず、制御部１０Ｂは、メモリ１１から第３補正データを読み出し、第３補正データを構成する画素データ成分を用いて、予め定められた補間方法で補間することで、前記第３補正データを、前記画素に対応した複数の補正データ成分で構成される第４補正データに変換する（Ｓ２５０Ｂ）。
【０１６０】
次に、制御部１０Ｂは、上記第４補正データを用いて、輝度信号を補正する（Ｓ２６０：補正ステップ）。
【０１６１】
最後に、制御部１０Ｂは、上記補正ステップで補正された輝度信号を各画素４００に供給し、当該輝度信号に応じて有機ＥＬ素子４０１を発光させることにより表示部４０に画像を表示する（Ｓ２７０：表示ステップ）。
【０１６２】
（その他の実施の形態）
以上、実施の形態１〜４について述べてきたが、上記実施の形態に係る表示装置、表示装置の補正方法、表示装置の製造方法、および表示装置の表示方法は、上記実施の形態に限定されるものではない。上述した実施の形態に対して本発明の主旨を逸脱しない範囲で当業者が思いつく各種変形を施して得られる変形例や、本発明に係る表示装置を内蔵した各種機器も本発明に含まれる。
【０１６３】
例えば、実施の形態１〜４に係る表示装置、表示装置の補正方法、表示装置の製造方法、および表示装置の表示方法は、図１８に示されたようなタブレット端末に適用される。本発明に係る表示装置、表示装置の補正方法、表示装置の製造方法、および表示装置の表示方法により、輝度ムラが抑制されたディスプレイを備えた低コストの小型高精細なタブレット端末が実現される。
【０１６４】
なお、上記実施の形態では、外部映像信号に基づいて生成された輝度信号により、表示部４０に画像が表示される場合を例示したが、これに限られない。画素を発光させるための輝度信号は、外部映像信号により生成されるだけでなく、静止画または動画を表示するための各種信号により生成される。
【０１６５】
また、第１補正データは、表示装置の製造時に生成されることに限定されない。また、第３補正データは、表示装置の製造時にメモリ１１に保存されることに限定されない。表示装置の製造後であって、表示動作中または非表示動作中であっても、第１補正データを更新し、当該更新された第１補正データに基づいて第３補正データが更新保存されてもよい。
【０１６６】
また、各画素が有する発光素子は、有機ＥＬ素子に限られず、電流駆動型または電圧駆動型の無機材料からなる発光素子であってもよい。
【産業上の利用可能性】
【０１６７】
本発明は、特に有機ＥＬ素子を用いた表示装置を内蔵する有機ＥＬフラットパネルディスプレイに有用であり、画質の均一性が要求される小型高精細なディスプレイの表示装置およびその補正方法として用いるのに最適である。
【符号の説明】
【０１６８】
１、５    表示装置
２、２Ｃ    情報処理装置
３    撮像装置
１０、１０Ｂ、５００    制御部
１１、５１２    メモリ
１２、１２Ｂ、１２Ｃ    変換部
１３、１３Ｂ    補正部
２０    データ線駆動回路
３０    走査線駆動回路
４０    表示部
１２１、１１２２、１１２２Ｃ    間引き部
１３１、１１３１、５３１    輝度信号補正部
１３２、１１３２    補間部
２０１    演算部
２０２    記憶部
２０３    通信部
４００    画素
４０１    有機ＥＬ素子
４０２    駆動トランジスタ
４０３    選択トランジスタ
４０４    保持容量素子
４１１    データ線
４１２    走査線
４２１    電源線
４２２    共通電極
１１２１、１１２１Ｃ    誤差拡散部
【図１】
2018072572.tif 000003
【図２】
2018072572.tif 000004
【図３】
2018072572.tif 000005
【図４】
2018072572.tif 000006
【図５Ａ】
2018072572.tif 000007
【図５Ｂ】
2018072572.tif 000008
【図５Ｃ】
2018072572.tif 000009
【図６】
2018072572.tif 000010
【図７】
2018072572.tif 000011
【図８】
2018072572.tif 000012
【図９】
2018072572.tif 000013
【図１０】
2018072572.tif 000014
【図１１Ａ】
2018072572.tif 000015
【図１１Ｂ】
2018072572.tif 000016
【図１１Ｃ】
2018072572.tif 000017
【図１１Ｄ】
2018072572.tif 000018
【図１１Ｅ】
2018072572.tif 000019
【図１２】
2018072572.tif 000020
【図１３】
2018072572.tif 000021
【図１４】
2018072572.tif 000022
【図１５】
2018072572.tif 000023
【図１６】
2018072572.tif 000024
【図１７】
2018072572.tif 000025
【図１８】
2018072572.tif 000026